(57)【要約】【課題】ランド部の不良による、信号的にはＬＰＰ状のノイズのある粗悪な光ディスクにおいても、ＬＰＰの検出に支障のないようなノイズ耐性を高くし、ＬＰＰの検出精度を上げる。【解決手段】光ディスク装置のランドプリピット検出回路において、プッシュプル信号を入力し、第一のピーク電圧を出力する第一のピークホールド回路と、ＬＰＦを介してプッシュプル信号を入力し、第二のピーク電圧を出力する第二のピークホールド回路と、第一のピーク電圧を入力して、ボトム電圧を出力するボトムホールド回路と、ボトム電圧と第二のピーク電圧との差分を分圧して、ランドプリピットを検出するためのスライスレベルを生成するスライスレベル生成回路と、プッシュプル信号とスライスレベル生成回路により生成されたスライスレベルとを比較することにより、ランドプリピットを検出するコンパレータとを設ける。【選択図】図３
2009070484.tif 000002
【特許請求の範囲】
【請求項１】
記録媒体となる光ディスクのランド部分に設けられたランドプリピットにより、光ディスク上のアドレス情報を読み取る光ディスク装置において、
前記光ディスクからの反射光から生成したプッシュプル信号を入力する第一のピークホールド回路と、
前記プッシュプル信号を入力する第二のピークホールド回路と、
前記第一のピークホールド回路から出力される第一のピーク電圧を入力して、ボトム電圧を出力するボトムホールド回路と、
前記ボトムホールド回路から出力されるボトム電圧と前記第二のピークホールド回路から出力される第二のピーク電圧との差分を分圧して、ランドプリピットを検出するためのスライスレベルを生成するスライスレベル生成回路と、
前記プッシュプル信号と前記スライスレベル生成回路により生成されたスライスレベルとを比較することにより、前記ランドプリピットを検出するコンパレータとを有することを特徴とする光ディスク装置。
【請求項２】
前記ボトムホールド回路により出力されるボトム電圧は、前記第一のピーク電圧と比較して、電圧の増える割合が小さいことを特徴とする請求項１記載の光ディスク装置。
【請求項３】
前記ボトムホールド回路により出力されるボトム電圧は、前記第一のピーク電圧と比較して、常に電圧の大きさが大きくないことを特徴とする請求項１記載の光ディスク装置。
【請求項４】
記録媒体となる光ディスクのランド部分に設けられたランドプリピットにより、光ディスク上のアドレス情報を読み取る光ディスク装置において、
前記光ディスクからの反射光から生成したプッシュプル信号を入力する第一のボトムホールド回路と、
前記プッシュプル信号を入力する第二のボトムホールド回路と、
前記第一のボトムホールド回路から出力される第一のボトム電圧を入力して、ピーク電圧を出力するピークホールド回路と、
前記ピークホールド回路から出力されるピーク電圧と前記第二のボトムホールド回路から出力される第二のボトム電圧との差分を分圧して、ランドプリピットを検出するためのスライスレベルを生成するスライスレベル生成回路と、
前記プッシュプル信号と前記スライスレベル生成回路により生成されたスライスレベルとを比較することにより、前記ランドプリピットを検出するコンパレータとを有することを特徴とする光ディスク装置。
【請求項５】
前記ピークホールド回路により出力されるピーク電圧は、前記第一のボトム電圧と比較して、電圧の減少する割合が小さいことを特徴とする請求項４記載の光ディスク装置。
【請求項６】
前記ピークホールド回路により出力されるピーク電圧は、前記第一のボトム電圧と比較して、常に電圧の大きさが大きいことを特徴とする請求項４記載の光ディスク装置。
【発明の詳細な説明】
【技術分野】
【０００１】
本発明は、光ディスク装置に係り、光ディスクのランド部分に、アドレス情報を記録するためのランドプリピットを設けたＤＶＤ−Ｒ／ＤＶＤ−ＲＷフォーマットの光ディスクであって、特に、ランド部の不良により発生する、信号的には、ランドプリピットと区別ができない様な大きなノイズに強く、ランドプリピットの検出精度に優れる光ディスク装置に関する。
【背景技術】
【０００２】
ＤＶＤディスクは、動画、音声などのマルチメディアデータを格納するための記録媒体として、広く普及してきており、様々なフォーマットが提案されている。
【０００３】
特に、記録型のＤＶＤディスクの物理フォーマットとしては、ディスク表面をグルーブと呼ばれる溝の部分と、ランドと呼ばれるグルーブ間に設けられる台地形状の部分により構成し、グルーブの蛇行（ウォブル）により、アドレッシングをおこなう方法が一般的になっている。
【０００４】
記録型のＤＶＤディスクのフォーマットの一種であるＤＶＤ−Ｒ／ＤＶＤ−ＲＷでは、ウォブルに加えて、ランド部分にランドプリピット（ＬＰＰ）と呼ばれるアドレスのためのピットを設けて、光ディスク上のアドレス情報を記録している。
【０００５】
特許文献１には、フォトディタクタより得られるプッシュプル信号により、ＬＰＰを検出する技術が開示されている。この特許文献１のＬＰＰの検出方法によれば、グルーブの蛇行及びノイズの影響による振幅変動成分を、ピークＳ１として保持し、これにオフセット成分Ｓ２を加えて、比較基準電圧Ｖｔｈを生成して、この比較基準電圧Ｖｔｈとプッシュプル信号を比較することにより、ＬＰＰの検出をおこなう。特許文献１では、このような方法により、ノイズや記録マークによる振幅変動に影響されることなく、安定的にＬＰＰの検出をおこなえるものとしている。
【０００６】
また、特許文献２には、プリピット検出回路のピーク値と、ウォブル信号成分のピーク値との差を分圧して、その分圧レベルをスライスレベルとして、コンパレータにより、ＬＰＰの検出をおこなう技術が開示されている。
【０００７】
【特許文献１】特開２００４−１３４００２号公報
【特許文献２】特開２００５−１６６２１１号公報
【発明の開示】
【発明が解決しようとする課題】
【０００８】
以下、図７および図８を用いて従来技術に係るＬＰＰ検出回路の問題点について説明する。
図７は、従来技術に係るＬＰＰ検出回路を示す回路図である。
図８は、従来技術に係るＬＰＰ検出に関する波形図である。
【０００９】
この図５に示す回路は、特許文献２と同様の発想であり、二つのピークホールド回路の示す電圧値を、分圧して、ＬＰＰ検出のためのスライスレベル（閾値）を求めようとするものである。
【００１０】
ＬＰＰ検出回路０は、フォトディテクタ（図示せず）の出力が増幅されたプッシュプル信号を入力し、ＬＰＰを検出する信号を出力する回路である。
【００１１】
ここで説明する従来技術に係る光ディスク装置のＬＰＰ検出回路０は、図７に示されるように、ピークホールド回路１：１０、ＬＰＦ（Low Pass Filter）２０、ピークホールド回路２：３０、スライスレベル生成回路４０、コンパレータ５０を有する。
【００１２】
ＬＰＰ検出回路０に入力されたプッシュプル信号は、ピークホールド回路１：１０と、ＬＰＦ２０、ピークホールド回路２：３０とに入力される。
【００１３】
ピークホールド回路１：１０では、入力された電圧のピーク電圧Ｐ１を出力する。一方、ＬＰＦ２０では、入力された信号を減衰させ、それをピークホールド回路２：３０に入力し、ピークホールド回路２：３０より、ピーク電圧Ｐ２が出力される。そして、ピークホールド回路１：１０からのピーク電圧Ｐ１とピークホールド回路２：３０からのピーク電圧Ｐ２が、スライスレベル生成回路４０に入力されて、ピーク電圧Ｐ１とピーク電圧Ｐ２の電圧差に、一定の割合で分圧したものを、スライスレベルＶＳＬとする。
【００１４】
すなわち、以下の（式１）が成立する。
【００１５】
ＶＳＬ＝ｒ（Ｐ１−Ｐ２）      …（式１）
ここで、ｒは、ＬＰＰを検出するための適当な分圧比であり、例えば、１／２＝５０％である。
【００１６】
そして、スライスレベル生成回路４０により、生成されたスライスレベルＶＳＬと、プッシュプル信号が、コンパレータ５０により比較され、プッシュプル信号がＶＳＬより大きくなったときに、ＬＰＰが検出されたものとする。
【００１７】
図８（ａ）の（Ａ）のときには、ＬＰＰのある場所で出力されるプッシュプル信号が、間歇的に示されており、それがスライスレベルＶＳＬより大きくなり、それに対応して、図８（ｂ）に示されるように、ＬＰＰが検出される。
【００１８】
ところが、ノイズｎがランド部の不良により発生し、極端に高いスパイク状のピーク電圧Ｐ１が発生したときには、ＶＳＬが大きくなる。したがって、スライスレベルＶＳＬが減衰して、図８（ａ）の（Ｃ）のレベルに落ちるまでは、ＬＰＰがあるにも関わらず、図８（ａ）の（Ｂ）に示されるように、ＬＰＰが検出されない事態が発生する。
【００１９】
このように、粗悪なディスクでノイズが検出されるようなときには、ノイズが発生した後に、ある程度の期間、ＬＰＰが検出されないという問題点がある。
【００２０】
この原因は、ノイズレベルによって、ピークホールド回路１：１０の出力のピーク電圧Ｐ１が、押し上げられ、これによって、スライスレベルＶＳＬも、その直後に極端に大きくなるからである。ピークホールド回路１：１０の電圧上昇は短時間で変化し、電圧降下は長時間で変化する特徴を備えているので、ピーク電圧Ｐ１は、ノイズ経過後はゆっくりと電圧降下する。したがって、スライスレベルＶＳＬが、図８（ａ）の（Ｃ）のレベルにダウンするまで、ＬＰＰを検出することができない。
【００２１】
本発明は、上記問題点を解決するためになされたもので、その目的は、ＬＰＰを設けた光ディスクの記録と再生をおこなうための光ディスク装置において、ノイズのある粗悪なディスクにおいても、ＬＰＰの検出に支障のないようなノイズ耐性が高い、ＬＰＰの検出精度に優れる光ディスク装置を提供することにある。
【課題を解決するための手段】
【００２２】
本発明の光ディスクの構成では、記録媒体となる光ディスクのランド部分に設けられたランドプリピットにより、光ディスク上のアドレス情報を読み取るＤＶＤ−Ｒ／ＤＶＤ−ＲＷの物理フォーマットを有する光ディスク装置において、プッシュプル信号を入力して、ランドプリピットを検出するランドプリピット検出回路を以下のように構成する。
【００２３】
すなわち、プッシュプル信号を、第一のピークホールド回路に入力させ、また、ＬＰＦを介して、第二のピークホールド回路に入力させる。
【００２４】
そして、第一のピークホールド回路から出力される第一のピーク電圧を入力して、ボトム電圧を生成するボトムホールド回路を設ける。このボトムホールド回路から出力させるボトム電圧は、第一のピーク電圧よりも小さく、かつ、ランド部不良によるノイズなどがある場合で、プッシュプル信号が大きくなる場合であっても、急激に変化しない。
【００２５】
そして、スライスレベル生成回路では、ボトムホールド回路から出力されるボトム電圧と第二のピークホールド回路から出力される第二のピーク電圧との差分を分圧して、ランドプリピットを検出するためのスライスレベルを生成し、コンパレータにより、入力されるプッシュプル信号とスライスレベル生成回路により生成されたスライスレベルとを比較することにより、ランドプリピットを検出する。
【００２６】
また、プッシュプル信号が逆向きの電圧を有する信号の場合は、上記の構成と「ピーク回路」と「ボトム回路」を逆にした構成にする。
【００２７】
すなわち、プッシュプル信号を、第一のボトムホールド回路に入力させ、また、ＬＰＦを介して、第二のボトムホールド回路に入力させる。
【００２８】
そして、第一のボトムホールド回路から出力される第一のボトム電圧を入力して、ピーク電圧を生成するピークホールド回路を設ける。
【００２９】
スライスレベル生成回路では、ピークホールド回路から出力されるピーク電圧と第二のボトムホールド回路から出力される第二のボトム電圧との差分を分圧して、ランドプリピットを検出するためのスライスレベルを生成し、コンパレータにより、入力されるプッシュプル信号とスライスレベル生成回路により生成されたスライスレベルとを比較することにより、ランドプリピットを検出する。
【発明の効果】
【００３０】
本発明によれば、ＬＰＰを設けた光ディスクの記録と再生をおこなうための光ディスク装置において、ランド部不良によるＬＰＰ状のノイズのある粗悪なディスクにおいても、ＬＰＰの検出に支障のないようなノイズ耐性が高い、ＬＰＰの検出精度に優れる光ディスク装置を提供することができる。
【発明を実施するための最良の形態】
【００３１】
以下、本発明に係る各実施形態を、図１ないし図６を用いて説明する。
【００３２】
〔実施形態１〕
以下、本発明に係る第一の実施形態を、図１ないし図４を用いて説明する。
先ず、本発明の第一の実施形態に係る光ディスク装置の構造について説明する。
図１は、本発明の第一の実施形態に係る光ディスク装置の構造を示す図である。
【００３３】
図１に示されるように、本発明の第一の実施形態に係る光ディスク装置は、光ディスク１００に対して記録再生をおこなうための装置であり、光ディスクのランド部分に、アドレス情報を記録するためのランドプリピットを設けた、物理フォーマットがいわゆるウォブルグループ方式のＤＶＤ−Ｒ／ＤＶＤ−ＲＷフォーマットの光ディスクを対象とする。
【００３４】
本発明の第一の実施形態に係る光ディスク装置は、図１に示されるように、光ディスク１００、モータ１０１、光ピックアップ１０２、サーボ回路１０３、マトリクス回路１１０、ウォブル検出回路１１１、ＬＰＰ検出回路０、アドレスデコーダ１１２、再生回路１２１、デコーダ１２２、クロック生成回路１２０、コントローラ１３０、エンコーダ１３１、レーザ制御回路１３２を備えている。
【００３５】
コントローラ１３０は、中央処理装置（ＣＰＵ）とＲＯＭやＲＡＭ等のメモリからなり、光ディスク装置の各部を制御し、必要な指示を与える。
【００３６】
光ピックアップ１０２は、半導体レーザ等のレーザ光源と、そのレーザ光源が発するレーザ光を集光して光ディスク１００にスポット光を照射する。この光ピックアップ１０２は、光ディスクからの反射光を分離するための、コリメータレンズと集光レンズおよびビームスプリッタ等からなる光学系と、その反射光を受光して電気信号（再生信号）に変換する受光手段であるフォトディテクタ等からなる。
【００３７】
この光ディスク装置により、情報を記録するときには、記録すべき情報が外部のホスト装置（図示せず）からコントローラ１３０を介してエンコーダ１３１に送られる。エンコーダ１３１では、データフォーマットを変換する。そして、レーザ制御回路１３２が情報ビットに応じてピックアップ１０２に搭載されたレーザ光源の発光制御をおこなうことによって、記録用のスポット光による光ディスク１００に対しての記録動作をおこなう。
【００３８】
一方、光ディスク１００に記録された情報を再生するときには、光ピックアップ１０２は、光ディスク１００上にレーザ光による再生用のスポット光を照射し、その反射光をフォトディテクタで検出し、再生回路１２１がその検出された再生信号に対してフィルタリングとデジタル化をおこなう。そして、デコーダ１２２がこの再生回路１２１で生成されたデータのフォーマットを変換し、コントローラ１３０が、その再生情報を外部のホスト装置へ送る。
【００３９】
光ピックアップ１０２に設けられたフォトディテクタは、光ディスク１００のトラックの幅方向に２分割された構成となっており、そのフォトディテクタの２つの受光領域によってそれぞれ検出される２つの信号から、再生回路１２１によってサーボ信号を生成する。サーボ回路１０３は、その生成されたサーボ信号に従って、トラッキング用モータを駆動制御して、光ピックアップ１０２のトラッキング位置の制御をおこなう。また、サーボ回路１０３は、クロック生成回路１２０から出力されるクロック信号に基づいて、光ディスク１００を回転させるモータ１５の回転制御もおこなう。
【００４０】
また、フォトディテクタの２つの受光領域によってそれぞれ検出される各信号は、マトリクス回路１１０によって、必要なプッシュプル信号に変換されて、ウォブル検出回路１１１とＬＰＰ検出回路０に送られる。そして、ウォブル検出回路１１１によって検出されたウォブルクロックに基づいて、クロック生成回路１２０が光ディスク１００の回転に追従した正確なクロック信号を生成する。
【００４１】
また、ＬＰＰ検出回路０は、プッシュプル信号から物理アドレス情報を含むＬＰＰ信号を検出し、アドレスデコーダ１１２がそれをアドレス情報に変換し、そのときの光ピックアップ１０２による光ディスク１００のアクセス位置のアドレス情報を得る。
【００４２】
次に、図２を用いて光ディスクの物理フォーマットについて説明する。
図２は、光ディスクの表面の構造を示した鳥瞰図である。
【００４３】
ＤＶＤ−Ｒ／ＤＶＤ−ＲＷは、図２に示されるような表面構造を有している。すなわち、グルーブＧと呼ばれる溝の部分と、ランドＬと呼ばれる台形地上の部分が交互に設けられ、グルーブＧは、蛇行（ウォブル）している。データの記録は、グルーブＧに明けられる記録ピットＰによりおこなわれる。
【００４４】
ランドＬには、ランドプリピットＬＰＰと呼ばれる途切れた部分があり、このランドプリピットＬＰＰがアドレス情報を表しており、これにより、データのアドレッシングをおこなう。
【００４５】
本発明は、このランドプリピットＬＰＰを検出する回路に関するものである。
【００４６】
次に、図３および図４を用いて本発明の第一の実施形態に係るＬＰＰ検出処理について説明する。
図３は、本発明の第一の実施形態に係るＬＰＰ検出処理に関連する回路の回路図である。
図４は、本発明の第一の実施形態に係るＬＰＰ検出に関する波形図である。
【００４７】
図３には、ＬＰＰ検出処理に関連する回路として、フォトディテクタ、マトリクス回路１１０の一部、ＬＰＰ検出回路０が示されている。
【００４８】
フォトディテクタは、４分割された受光部Ａ，Ｂ，Ｃ，Ｄを有しており、それらが、加算器１１０ｂで、Ａ＋Ｃの出力が作られ、加算器１１０ａで、Ｂ＋Ｄの出力が作られて、それらが差動アンプ１１０ｃに入力されて、マトリクス回路１１０から、（Ｂ＋Ｄ）−（Ａ＋Ｃ）の出力が増幅されて、プッシュプル信号として出力される。なお、この図で、マトリクス回路１１０は、プッシュプル信号の生成のために必要なもののみを示している。
【００４９】
ＬＰＰ検出回路０は、図３に示されるように、ピークホールド回路１：１０、ＬＰＦ（Low Pass Filter）２０、ピークホールド回路２：３０、スライスレベル生成回路４０、コンパレータ５０、ボトムホールド回路６０を有する。
【００５０】
従来技術を示した図７の回路に加えて、ボトムホールド回路６０が付け加わっている。
【００５１】
マトリクス回路１１０から出力されたプッシュプル信号は、ピークホールド回路１：１０と、ＬＰＦ２０、コンパレータ５０とに入力される。
【００５２】
ピークホールド回路１：１０では、入力された電圧のピーク電圧Ｐ１を出力する。ピークホールド回路１：１０は、図に示されるように、ダイオード１０ａ、コンデンサ１０ｂ、抵抗１０ｃを備えている。ピークホールド回路１：１０に入力された電圧は、コンデンサ１０ｂに電荷としてチャージされ、抵抗１０ｃを介して徐々に放電される。したがって、ピークホールド回路１：１０から出力される電圧Ｐ１は、立ち上がりが急峻で、電圧降下の場合は、緩やかなものになる。
【００５３】
ピークホールド回路１：１０から出力される電圧Ｐ１は、ボトムホールド回路６０に入力される。ボトムホールド回路６０は、図に示されるように、ダイオード６０ａ、コンデンサ６０ｂ、抵抗６０ｃを備えており、外部より直流電源７０に接続されている。
【００５４】
ボトムホールド回路６０に入力された電圧は、逆特性のダイオード６０ａが接続されているために、電圧の上昇は緩やかなものになる。また、抵抗６０ｃに直流電源７０が接続されているために、コンデンサ６０ｂに常時電荷がチャージされることになる。
【００５５】
したがって、ボトムホールド回路６０から出力されるボトム電圧ｂは、立ち上がりが緩やかなものになり、電圧降下は、比較的短時間で変化するものになる。
【００５６】
一方、ＬＰＦ２０では、入力された信号を減衰させ、それをピークホールド回路２：３０に入力し、ピークホールド回路２：３０より、ピーク電圧Ｐ２が出力される。
【００５７】
ピークホールド回路２：３０は、ピークホールド回路１：１０と同様に、ダイオード３０ａ、コンデンサ３０ｂ、抵抗３０ｃを備えている。ピークホールド回路２：３０の回路特性は、ピークホールド回路１：１０と同じである。また、ピークホールド回路２：３０から出力される電圧Ｐ２についても、その特性は、ピークホールド回路１：１０から出力される電圧Ｐ１と同じであるが、ＬＰＦ２０を介して、ピークホールド回路２：３０に電圧が入力されるため、ピークホールド回路２：３０から出力される電圧Ｐ２は、ずっと小さいものになる。
【００５８】
そして、ボトムホールド回路６０から出力されるボトム電圧ｂとピークホールド回路２：３０からのピーク電圧Ｐ２が、スライスレベル生成回路４０に入力されて、ボトム電圧ｂとピーク電圧Ｐ２の電圧差に、一定の割合で分圧したものを、スライスレベルＶＳＬとする。
【００５９】
すなわち、以下の（式２）が成立する。
【００６０】
ＶＳＬ＝ｒ（ｂ−Ｐ２）      …（式２）
この（式２）は、（式１）のＰ１がｂに置き換わったものである。
【００６１】
なお、ここでも、ｒは、ＬＰＰを検出するための適当な分圧比であり、例えば、１／２＝５０％である。
【００６２】
そして、スライスレベル生成回路４０により、生成されたスライスレベルＶＳＬと、プッシュプル信号が、コンパレータ５０により比較され、プッシュプル信号がＶＳＬより大きくなったときに、ＬＰＰが検出されたものとする。この原理については、従来技術と同様である。
【００６３】
図４（ａ）の（Ａ）のときには、ＬＰＰのある場所で出力されるプッシュプル信号が、間歇的に示されており、それがスライスレベルＶＳＬより大きくなり、それに対応して、図４（ｂ）に示されるように、ＬＰＰが検出される。この動作は、従来技術の図８（ａ）の（Ａ）のときと同様である。
【００６４】
問題は、ノイズｎがランド部の不良により発生した場合である。このときに、極端に高いスパイク状のピーク電圧Ｐ１が発生するが、本実施形態では、ピーク電圧Ｐ１がボトムホールド回路６０に入力され、ボトム電圧ｂに変換されて、（式２）に従って、スライスレベルＶＳＬが生成される。
【００６５】
本実施形態では、図４（ａ）に示されるように、ノイズｎが混入して、ピーク電圧Ｐ１が大きくなる場合であっても、ボトム電圧ｂは、急に大きくなることはなく、徐々に上昇するため、スライスレベルＶＳＬは、それほど大きくなることはなく、図４（ａ）の（Ｂ）の区間であっても、図４（ｂ）に示されるように、ＬＰＰが検出できる。そして、ある程度の時間が経つと、図４（ａ）の（Ｄ）地点で、ピーク電圧Ｐ１とボトム電圧ｂが重なり、その後は、ゆっくりと電圧が降下していく。本実施形態では、ボトムホールド回路６０を設けて、ボトム電圧ｂによりスライスレベルＶＳＬを生成するために、スライスレベルＶＳＬの変動が小さくなる。したがって、図４（ｂ）に示されているように、ノイズｎ発生前の図４（ａ）の（Ａ）の区間、ノイズｎ発生後の図４（ａ）の（Ｂ）の区間、また、スライスレベルＶＳＬ図４が定常状態に移行していく図４（ａ）の（Ｃ）の区間のいずれにおいても、ＬＰＰの検出をおこなうことができる。
【００６６】
〔実施形態２〕
次に、図５および図６を用いて本発明の第二の実施形態に係るＬＰＰ検出処理について説明する。
本実施形態のＬＰＰ検出処理は、第一の実施形態と同様の思想に立つものであり、図１に示した光ディスク装置の構造は同じであるが、プッシュプル信号が第一の実施形態の逆電圧になる場合の例を説明するものである。
本実施形態のＬＰＰ検出処理は、概略として、第一の実施形態の「ボトム回路」を「ピーク回路」、「ピーク回路」を「ボトム回路」に、「ボトム電圧」を「ピーク電圧」、「ピーク電圧」を「ボトム電圧」に置き換えればよい。
【００６７】
図５は、本発明の第二の実施形態に係るＬＰＰ検出処理に関連する回路の回路図である。
図６は、本発明の第二の実施形態に係るＬＰＰ検出に関する波形図である。
【００６８】
図６に示されるように、ＬＰＰ検出処理に関連する回路として、フォトディテクタ、マトリクス回路１１０の一部、ＬＰＰ検出回路０であることは第一の実施形態と同様である。
【００６９】
フォトディテクタの構造も、第一の実施形態と同様である。異なっているところは、図６（ａ）に示されるように、プッシュプル信号が逆向きの電圧を持つ信号であることである。
【００７０】
ＬＰＰ検出回路０は、図５に示されるように、ボトムホールド回路１：１０′、ＬＰＦ（Low Pass Filter）２０、ボトムホールド回路２：３０′、スライスレベル生成回路４０、コンパレータ５０、ピークホールド回路６０′を有する。
【００７１】
マトリクス回路１１０から出力されたプッシュプル信号は、ボトムホールド回路１：１０′と、ＬＰＦ２０、コンパレータ５０とに入力される。
【００７２】
ボトムホールド回路１：１０′では、入力された電圧のピーク電圧Ｂ１を出力する。ボトムホールド回路１：１０′は、図に示されるように、ダイオード１０′ａ、コンデンサ１０′ｂ、抵抗１０′ｃを備えており、外部より直流電源７０に接続されている。したがって、ボトムホールド回路１：１０′から出力される電圧Ｂ１は、立ち下りが急峻で、電圧上昇の場合は、緩やかなものになる。
【００７３】
ボトムホールド回路１：１０′から出力される電圧Ｂ１は、ピークホールド回路６０′に入力される。ピークホールド回路６０′は、図に示されるように、ダイオード６０′ａ、コンデンサ６０′ｂ、抵抗６０′ｃを備えている。
【００７４】
ピークホールド回路６０′に入力された電圧は、コンデンサ６０′ｂに電荷としてチャージされ、抵抗６０′ｃを介して徐々に放電される。したがって、電圧の降下は緩やかなものになる。
【００７５】
したがって、ピークホールド回路６０′から出力されるピーク電圧ｐは、立ち下がりが緩やかなものになり、電圧上昇は、比較的短時間で変化するものになる。
【００７６】
一方、ＬＰＦ２０では、入力された信号を減衰させ、それをボトムホールド回路２：３０′に入力し、ボトムホールド回路２：３０′より、ボトム電圧Ｂ２が出力される。
【００７７】
ボトムホールド回路２：３０′は、ボトムホールド回路１：１０′と同様にダイオード３０′ａ、コンデンサ３０′ｂ、抵抗３０′ｃを備えており、外部より直流電源７０に接続されている。ボトムホールド回路２：３０′の回路特性は、ボトムホールド回路１：１０′と同じである。また、ボトムホールド回路２：３０′から出力される電圧Ｂ２についても、その特性は、ボトムホールド回路１：１０′から出力される電圧Ｂ１と同じであるが、ＬＰＦ２０を介して、ボトムホールド回路２：３０′に電圧が入力されるため、ボトムホールド回路２：３０′から出力される電圧Ｂ２は、ずっと大きいものになる。
【００７８】
そして、ピークホールド回路６０′から出力されるピーク電圧ｐとボトムホールド回路２：３０′からのボトム電圧Ｂ２が、スライスレベル生成回路４０に入力されて、ピーク電圧ｐとボトム電圧Ｂ２の電圧差に、一定の割合で分圧したものを、スライスレベルＶＳＬとする。
【００７９】
すなわち、以下の（式３）が成立する。
【００８０】
ＶＳＬ＝ｒ（ｐ−Ｂ２）      …（式３）
この（式３）は、（式２）のｂがｐに、Ｐ２がＢ２に置き換わったものである。
【００８１】
なお、ここでも、ｒは、ＬＰＰを検出するための適当な分圧比であり、例えば、１／２＝５０％である。
【００８２】
そして、スライスレベル生成回路４０により、生成されたスライスレベルＶＳＬと、プッシュプル信号が、コンパレータ５０により比較され、プッシュプル信号がＶＳＬより小さくなったときに、ＬＰＰが検出されたものとする。この原理については、従来技術と同様である。
【００８３】
図６（ａ）の（Ａ）のときには、ＬＰＰのある場所で出力されるプッシュプル信号が、間歇的に示されており、それがスライスレベルＶＳＬより小さくなり、それに対応して、図６（ｂ）に示されるように、ＬＰＰが検出される。この動作は、従来技術の図８（ａ）の（Ａ）のときと同様である。
【００８４】
問題は、ノイズｎがランド部の不良により発生した場合である。このときに、極端に低いスパイク状のボトム電圧Ｂ１が発生するが、本実施形態では、ボトム電圧Ｂ１がピークホールド回路６０′に入力され、ピーク電圧ｐに変換されて、（式３）に従って、スライスレベルＶＳＬが生成される。
【００８５】
本実施形態では、図６（ａ）に示されるように、ノイズｎが混入して、ボトム電圧Ｂ１が小さくなる場合であっても、ピーク電圧ｐは、急に小さくなることはなく、徐々に降下するため、スライスレベルＶＳＬは、それほど小さくなることはなく、図６（ａ）の（Ｂ）の区間であっても、図６（ｂ）に示されるように、ＬＰＰが検出できる。そして、ある程度の時間が経つと、図６（ａ）の（Ｄ）地点で、ボトム電圧Ｂ１とピーク電圧ｐが重なり、その後は、ゆっくりと電圧が上昇していく。本実施形態では、ピークホールド回路６０′を設けて、ピーク電圧ｐによりスライスレベルＶＳＬを生成するために、スライスレベルＶＳＬの変動が小さくなる。したがって、図６（ｂ）に示されているように、ノイズｎ発生前の図６（ａ）の（Ａ）の区間、ノイズｎ発生後の図６（ａ）の（Ｂ）の区間、また、スライスレベルＶＳＬ図４が定常状態に移行していく図６（ａ）の（Ｃ）の区間のいずれにおいても、ＬＰＰの検出をおこなうことができる。
【図面の簡単な説明】
【００８６】
【図１】本発明の一実施形態に係る光ディスク装置の構造を示す図である。
【図２】光ディスクの表面の構造を示した鳥瞰図である。
【図３】本発明の第一の実施形態に係るＬＰＰ検出処理に関連する回路の回路図である。
【図４】本発明の第一の実施形態に係るＬＰＰ検出に関する波形図である。
【図５】本発明の第二の実施形態に係るＬＰＰ検出処理に関連する回路の回路図である。
【図６】本発明の第二の実施形態に係るＬＰＰ検出に関する波形図である。
【図７】従来技術に係るＬＰＰ検出回路を示す回路図である。
【図８】従来技術に係るＬＰＰ検出に関する波形図である。
【符号の説明】
【００８７】
１０…ピークホールド回路１、２０…ＬＰＦ、３０…ピークホールド回路２、４０…スライスレベル生成回路、５０…コンパレータ、６０…ボトムホールド回路、
１０′…ボトムホールド回路１、３０′…ボトムホールド回路２、６０′…ピークホールド回路、
１００…光ディスク、１０１…モータ、１０２…光ピックアップ、１０３…サーボ回路、１１０…マトリクス回路、１１１…ウォブル検出回路、０…ＬＰＰ検出回路、１１２…アドレスデコーダ、１２１…再生回路、１２２…デコーダ、１２０…クロック生成回路、１３０…コントローラ、１３１…エンコーダ、１３２…レーザ制御回路。
【図１】
2009070484.tif 000003
【図２】
2009070484.tif 000004
【図３】
2009070484.tif 000005
【図４】
2009070484.tif 000006
【図５】
2009070484.tif 000007
【図６】
2009070484.tif 000008
【図７】
2009070484.tif 000009
【図８】
2009070484.tif 000010